(57)【要約】【課題】ホームセキュリティシステムによるセキュリティ性を維持しながらもセキュリティ状態の解除を容易化する。【解決手段】システムＳ１は、住宅Ｈに装備され、生体認証装置１と、ホームセキュリティコントローラ２と、室外機３１及び室内機３２を備えるインターホン装置３とを含む。生体認証装置１は、インターホン装置３の室外機３１で取得される来訪者の画像情報や音声情報から抽出される生体情報に基づき、個人認証を行う。この個人認証の結果に応じて、ホームセキュリティコントローラ２のセキュリティモードが変更される。例えば、住宅Ｈの住人等であるとの認証が取れれば、パスワードの入力なしに、セキュリティが解除される。【選択図】図１
2008293437.tif 000002
【特許請求の範囲】
【請求項１】
監視用信号の入力に基づいて所定のセキュリティ動作を行うホームセキュリティコントローラと、
前記ホームセキュリティコントローラと通信可能に接続され、生体情報を取得して生体認証動作を行う生体認証装置と、を備え、
前記生体認証装置は、
生体情報を取得して該生体情報に関する信号を入力する入力手段と、
セキュリティエリア内への立ち入りが許容された許容者の生体情報を格納する記憶手段と、
前記入力手段から入力される生体情報と前記記憶手段に格納された生体情報とを照合することで、前記許容者の入力であるか否かを判定する判定手段と、
前記判定手段が、前記許容者の入力であると判定した場合に、前記ホームセキュリティコントローラにセキュリティ解除信号を出力する出力手段と、
を含むことを特徴とするホームセキュリティシステム。
【請求項２】
前記セキュリティエリア内への立ち入りゲートに設置され画像情報を取得可能な撮像装置を含む室外機と、前記セキュリティエリア内に設置され前記画像情報を表示可能な表示部を含む室内機とを具備するインターホン装置を備え、
該インターホン装置と前記生体認証装置とが通信可能に接続され、前記生体認証装置の前記入力手段として前記撮像装置が用いられることを特徴とする請求項１に記載のホームセキュリティシステム。
【請求項３】
前記生体認証装置が、前記セキュリティエリア内への立ち入りゲートに設置されることを特徴とする請求項１に記載のホームセキュリティシステム。
【請求項４】
前記生体認証装置が、インターホン装置の室外機の機能を備えることを特徴とする請求項３に記載のホームセキュリティシステム。
【請求項５】
所定の居住エリアに対するアクセス動作を許容しない第１モードと、前記アクセス動作を許容する第２モードとの間で前記居住エリアの状態を制御する制御手段と、
前記制御手段と通信可能に接続され、生体情報を取得して生体認証動作を行う生体認証装置と、を備え、
前記生体認証装置は、
生体情報を取得して該生体情報に関する信号を入力する入力手段と、
前記居住エリア内へのアクセスが許容された許容者の生体情報を格納する記憶手段と、
前記入力手段から入力される生体情報と前記記憶手段に格納された生体情報とを照合することで、前記許容者の入力であるか否かを判定する判定手段と、
前記判定手段が、前記許容者の入力であると判定した場合に、前記制御手段に前記居住エリアの状態を前記第１モードから前記第２モードへ移行させる解除信号を出力する出力手段と、
を含むことを特徴とするアクセス許可システム。
【請求項６】
前記居住エリアへの立ち入りゲートに設置される室外機と、前記居住エリア内に設置される室内機とを具備するインターホン装置を備え、
前記制御手段は、前記第１モードのとき前記室外機と室内機との交信を不可の状態とし、前記第２モードのとき前記室外機と室内機との交信が可能な状態とすることを特徴とする請求項５に記載のアクセス許可システム。
【請求項７】
前記制御手段が、前記居住エリアについてのホームセキュリティコントローラであり、
該ホームセキュリティコントローラは、監視用信号の入力に基づいて所定のセキュリティ動作を行う第１モードと、前記セキュリティ動作を行わない第２モードとの間でセキュリティ状態を変化させることが可能であり、
前記解除信号が与えられたとき、ホームセキュリティコントローラは、セキュリティ状態を前記第１モードから前記第２モードへ移行させることを特徴とする請求項５に記載のアクセス許可システム。
【発明の詳細な説明】
【技術分野】
【０００１】
本発明は、生体認証装置とホームセキュリティシステムとを連携させたシステムに関するものである。
【背景技術】
【０００２】
近年、防犯を目的としたホームセキュリティシステムを導入する一般住宅が増加している。ホームセキュリティシステムは、侵入者を検知するためのドアセンサ、パッシブセンサ或いは室内センサ等を備え、侵入者を検知したときにセンサが外部の警備会社や居住者等に報知するシステムである。このようなホームセキュリティシステムに、照明機器や空調機器等の建物内設置機器をコントロールする機能を融合させたシステムも提案されている（特許文献１）。
【０００３】
通常、ホームセキュリティシステムによるセキュリティ状態の解除は、セキュリティエリア内への立ち入りゲートに設置されたテンキー等から与えられるパスワード入力の照合を条件としている。
【０００４】
ところで、一般住宅には、カメラ付きのインターホン装置が広く普及している。一般的なインターホン装置は、住居の玄関先に設置されるマイクロホン及び動画カメラを有する室外機と、音声を発するスピーカ及び画像モニタを有する室内機とからなる。このようなインターホン装置は、他のシステムと連携されることはなく、スタンドアロンで使用されるのが通常である。
【特許文献１】特開２００５−２５８７１３
【発明の開示】
【発明が解決しようとする課題】
【０００５】
ホームセキュリティシステムによるセキュリティ状態を解除するには、上述の通りパスワード入力等が必要となる。また、パスワード入力に続く他の操作が要求されるシステムも存在し、居住者にとっては煩わしさを払拭できない。また、高齢者や子供の居住者の場合、パスワードを忘却してしまいセキュリティ状態を解除できないこともある。さらには、侵入者がパスワードを知見する危険性や、侵入者が出鱈目にテンキーを操作した結果、偶然にセキュリティが解除されてしまう危険性もある。
【０００６】
一方、インターホン装置は、動画カメラを有する高性能なシステムでありながら、スタンドアロンで使用されることが多く、システムの有効活用の観点から、他のシステムと連携した運用が望まれるところである。
【０００７】
本発明の目的は、ホームセキュリティシステムによるセキュリティ性を維持しながらもセキュリティ状態の解除を容易化することができるシステムを提供することにある。また、本発明の他の目的は、インターホン装置を他のシステムと連携させて有効活用を図るシステムを提供することにある。
【課題を解決するための手段】
【０００８】
上記目的を達成する本発明の一の局面に係るホームセキュリティシステムは、監視用信号の入力に基づいて所定のセキュリティ動作を行うホームセキュリティコントローラと、前記ホームセキュリティコントローラと通信可能に接続され、生体情報を取得して生体認証動作を行う生体認証装置と、を備え、前記生体認証装置は、生体情報を取得して該生体情報に関する信号を入力する入力手段と、セキュリティエリア内への立ち入りが許容された許容者の生体情報を格納する記憶手段と、前記入力手段から入力される生体情報と前記記憶手段に格納された生体情報とを照合することで、前記許容者の入力であるか否かを判定する判定手段と、前記判定手段が、前記許容者の入力であると判定した場合に、前記ホームセキュリティコントローラにセキュリティ解除信号を出力する出力手段とを含むことを特徴とする（請求項１）。
【０００９】
この構成によれば、ホームセキュリティコントローラと生体認証装置とを連携させた運用が可能となる。すなわち、記憶手段に格納された許容者の生体情報をベースにセキュリティ解除判定を行うので、予め居住者等の生体情報を記憶させておくことで、居住者等のセキュリティエリア内への立ち入りについては、セキュリティ状態の解除操作を容易化することができる。一方、非許容者（侵入者）のセキュリティエリア内への立ち入りに対しては、逆に生体情報の照合を要件としていることから、セキュリティ性を維持できる。
【００１０】
上記構成において、前記セキュリティエリア内への立ち入りゲートに設置され画像情報を取得可能な撮像装置を含む室外機と、前記セキュリティエリア内に設置され前記画像情報を表示可能な表示部を含む室内機とを具備するインターホン装置を備え、該インターホン装置と前記生体認証装置とが通信可能に接続され、前記生体認証装置の前記入力手段として前記撮像装置が用いられることが望ましい（請求項２）。
【００１１】
この構成によれば、インターホン装置の室外機で取得される情報、つまり撮像装置で取得された画像情報や、マイクロホンで拾われた音声データに基づいて、生体認証を行うことができる。従って、インターホン装置とホームセキュリティコントローラとを連携させて運用することができる。
【００１２】
或いは、前記生体認証装置が、前記セキュリティエリア内への立ち入りゲートに設置される構成としても良い（請求項３）。この構成によれば、生体認証装置で直接的に生体情報を取得するので、装置構成を単純化することができる。
【００１３】
この場合、前記生体認証装置が、インターホン装置の室外機の機能を備えることが望ましい（請求項４）。この構成によれば、立ち入りゲートに設置された生体認証装置に、インターホン装置の室外機の機能（カメラ、マイクロホン機能）を兼用させるので、インターホン装置とホームセキュリティコントローラとを連携させて運用することができる。
【００１４】
本発明の他の局面に係るアクセス許可システムは、所定の居住エリアに対するアクセス動作を許容しない第１モードと、前記アクセス動作を許容する第２モードとの間で前記居住エリアの状態を制御する制御手段と、前記制御手段と通信可能に接続され、生体情報を取得して生体認証動作を行う生体認証装置と、を備え、前記生体認証装置は、生体情報を取得して該生体情報に関する信号を入力する入力手段と、前記居住エリア内へのアクセスが許容された許容者の生体情報を格納する記憶手段と、前記入力手段から入力される生体情報と前記記憶手段に格納された生体情報とを照合することで、前記許容者の入力であるか否かを判定する判定手段と、前記判定手段が、前記許容者の入力であると判定した場合に、前記制御手段に前記居住エリアの状態を前記第１モードから前記第２モードへ移行させる解除信号を出力する出力手段とを含むことを特徴とする（請求項５）。
【００１５】
この構成によれば、生体認証装置による照合を条件に、居住エリアに対するアクセスの許否が決定されるシステムであるので、許容者については、生体認証操作を行うだけで、容易に居住エリアへアクセス（ドアの解錠や在宅者との通話等）することが可能となる。これに対し、非許容者（侵入者）については、生体情報の照合を要件としていることから、居住エリアへのアクセスが全く行えない状態にすることも可能である。
【００１６】
上記構成において、前記居住エリアへの立ち入りゲートに設置される室外機と、前記居住エリア内に設置される室内機とを具備するインターホン装置を備え、前記制御手段は、前記第１モードのとき前記室外機と室内機との交信を不可の状態とし、前記第２モードのとき前記室外機と室内機との交信が可能な状態とする構成とすることができる（請求項６）。
【００１７】
この構成によれば、生体認証装置により認証された場合、インターホン装置の室外機と室内機との交信が可能な状態（第１モード）とされるが、認証が取れない場合は、インターホン装置を用いた交信自体が行えない状態（第２モード）とされる。従って、居住者にとって希望しない来訪者に、インターホン装置を介したアクセスをも拒否可能なシステム運用を実現できる。
【００１８】
或いは、上記構成において、前記制御手段が、前記居住エリアについてのホームセキュリティコントローラであり、該ホームセキュリティコントローラは、監視用信号の入力に基づいて所定のセキュリティ動作を行う第１モードと、前記セキュリティ動作を行わない第２モードとの間でセキュリティ状態を変化させることが可能であり、前記解除信号が与えられたとき、ホームセキュリティコントローラは、セキュリティ状態を前記第１モードから前記第２モードへ移行させる構成とすることができる（請求項７）。
【００１９】
この構成によれば、生体認証装置により認証された場合、ホームセキュリティコントローラはセキュリティ状態を解除し、居住エリアへの立ち入りが可能な状態（第２モード）とする。一方、認証が取れない場合は、ホームセキュリティコントローラはセキュリティ状態を維持し、居住エリアへの立ち入りが不可な状態（第１モード）を継続する。従って、許容者と非許容者とのアクセス制限・許可を、生体認証装置とホームセキュリティコントローラとを連携させて、簡単且つ確実に行うことができる。
【発明の効果】
【００２０】
本発明に係るホームセキュリティシステム及びアクセス許可システムによれば、ホームセキュリティシステム及びインターホン装置と生体認証装置とを連携させることで、ホームセキュリティシステムによるセキュリティ性を維持しながらも、許容者にとってはセキュリティ状態の解除を容易化することができる。また、スタンドアロンでの使用に止まっていたインターホン装置を、生体認証装置と連携させて有効に活用することができる。
【発明を実施するための最良の形態】
【００２１】
以下、図面に基づいて、本発明の一実施形態を詳細に説明する。
［第１実施形態］
図１は、第１実施形態に係るホームセキュリティシステムＳ１の概略構成を示す構成図である。このホームセキュリティシステムＳ１は、住宅Ｈに装備され、生体認証装置１と、ホームセキュリティコントローラ２と、室外機３１及び室内機３２を備えるインターホン装置３とを含んで構成されている。
【００２２】
インターホン装置３の室外機３１と室内機３２とはインターホン線３０１で接続され、室内機３２と生体認証装置１とは、画像データを含む信号が伝送可能な信号ケーブル３０２で接続されている。また、生体認証装置１とホームセキュリティコントローラ２とは、ＬＡＮケーブル１０１で接続されている。なお、ＬＡＮケーブル１０１を用いる代わりに、無線ＬＡＮで両者を通信可能に接続しても良い。
【００２３】
生体認証装置１は、本実施形態では、インターホン装置３の室外機３１で取得された来訪者の画像情報及び／又は音声情報から抽出される生体情報に基づき、個人認証を行うための装置である。さらに、本実施形態では、前記個人認証の結果に応じてホームセキュリティコントローラ２にセキュリティモードを変更若しくは維持させる制御信号を生成する機能を有する。この点については、図２に基づき詳述する。
【００２４】
ホームセキュリティコントローラ２は、監視用信号の入力に基づいて行われる所定のセキュリティ動作を制御するコントローラである。このホームセキュリティコントローラ２には、前記監視用信号を入力するための監視用センサ２１が接続されている。当該監視用センサ２１は、例えば侵入者を検知するためのドアセンサ、パッシブセンサ或いは室内センサ等である。
【００２５】
ホームセキュリティコントローラ２は、監視用信号の入力に基づいてセキュリティ動作を行う第１モードと、前記セキュリティ動作を行わない第２モードとの間でセキュリティ状態を変更させることが可能である。このセキュリティ状態の変更は、通常はユーザのマニュアル操作により行われるが、本実施形態では、生体認証装置１から与えられる制御信号によっても変更される。
【００２６】
インターホン装置３の室外機３１は、住宅Ｈ（セキュリティエリア内）の玄関先（立ち入りゲート）に設置される。室外機３１は、来訪者の主に顔の画像情報を取得する撮像装置３１１と、来訪者と在宅者との間で音声による交信を行わせるための音声入出力部３１２とを備えている。ここで、撮像装置３１１は、例えばカラー若しくはモノクロの動画像を撮像するテレビカメラである。また、音声入出力部３１２は、マイクロホンとスピーカとを備えて構成されている。
【００２７】
室内機３２は、住宅Ｈの適所に例えば壁掛け方式で設置される。室内機３２は、室外機３１の撮像装置３１１で撮像された二次元動画像を表示するモニタ３２１（表示部）と、音声交信を行わせるための音声入出力部３２２とを備えている。ここで、モニタ３２１は、例えば小型の液晶ディスプレイである。また、音声入出力部３２２は、同様にマイクロホンとスピーカとを備える。
【００２８】
次に、生体認証装置１及びホームセキュリティコントローラ２の機能構成について説明する。図２は、ホームセキュリティシステムＳ１の機能ブロック図である。生体認証装置１は、機能的に、生体情報入力部１１（入力手段）、記憶部１２（記憶手段）、認証処理部１３（判定手段）及び制御信号出力部１４（出力手段）を備える。また、ホームセキュリティコントローラ２（制御手段）は、モード設定部２２、セキュリティ制御部２３及び通信部２４を備える。
【００２９】
生体情報入力部１１は、生体認証に必要な生体情報を取得して該生体情報に関する信号を認証処理部１３へ入力する。本実施形態では、生体情報は、インターホン装置３の室外機３１が備える撮像装置３１１から与えられる来訪者の顔画像データ、及び音声入出力部３１２から与えられる来訪者の音声データである。前記顔画像データは、例えば顔パターンの照合による生体認証に利用することができる。また、前記音声データは、例えば声紋パターンの照合による生体認証に利用することができる。
【００３０】
記憶部１２は、住宅Ｈ内への立ち入りが許容された許容者の生体情報データを格納するものである。ここで、許容者は、通常は住宅Ｈの住人である。例えば顔パターンの照合による生体認証を行う場合、許容者の顔パターンについての特徴データが記憶部１２に格納される。また、声紋パターンの照合による生体認証を行う場合、許容者の声紋パターンについての特徴データが記憶部１２に格納される。これらの特徴データは、カメラ及び／又はマイクを備えるデータ入力手段１５により、予め許容者から取得され、記憶部１２に個人識別データとして入力される。
【００３１】
認証処理部１３は、生体情報入力部１１から入力される生体情報と記憶部１２に格納された生体情報とを照合することで、入力に係るデータが許容者のものであるか否かを判定する。例えば、認証処理部１３は、インターホン装置３で取得された来訪者の顔画像データから顔テンプレート等を用いて抽出される特徴量と、予め記憶部１２に格納されている許容者の顔画像データから抽出される特徴量とを比較し、両者の一致度合いに基づいて許容者の画像入力であるか否かを判定する。そして、認証処理部１３は、その判定結果を制御信号出力部１４に与える。言うまでもなく、予め登録された許容者の入力である場合は「一致」判定をし、非許容者の入力である場合は「不一致」判定をなす。
【００３２】
制御信号出力部１４は、認証処理部１３による個人認証結果に応じて、ホームセキュリティコントローラ２の動作モードを変更させる制御信号を発生する。具体的には、認証処理部１３が「一致」判定をした場合、制御信号出力部１４はホームセキュリティコントローラ２にセキュリティ解除信号を出力する。これに対し、認証処理部１３が「不一致」判定をした場合、セキュリティ維持信号を出力する。
【００３３】
モード設定部２２は、操作部２５を通してユーザから与えられる操作信号に応じて、ホームセキュリティコントローラ２を、監視用信号の入力に基づいてセキュリティ動作を行う第１モード、若しくは前記セキュリティ動作を行わない第２モードのいずれかにモード設定する。なお、操作部２５は、ホームセキュリティコントローラ２に設けられている操作ボタンやテンキーである。一般に、住人が不在時、深夜時間帯等に操作部２５からの信号を受けて、モード設定部２２はホームセキュリティコントローラ２を第１モードに設定し、深夜を除く在宅時に第２モードに設定する。
【００３４】
さらにモード設定部２２は、操作部２５から与えられるマニュアルの操作信号だけでなく、制御信号出力部１４から与えられる制御信号によってもホームセキュリティコントローラ２の動作モードを変更する。モード設定部２２は、第１モードでセキュリティ動作が実行されている場合において、制御信号出力部１４からセキュリティ解除信号が与えられた場合、第１モードから第２モードへ設定を変更し、セキュリティ制御部２３によるセキュリティ動作を停止させる。このため、住宅Ｈの住人は、インターホン装置３で自身の顔を撮像させるだけで、住宅Ｈに立ち入ることができる。このことは、住人のパスワード入力の負担を省くこととなり、またパスワード忘れの問題を根本的に解消する。
【００３５】
一方、モード設定部２２は、制御信号出力部１４からセキュリティ維持信号が与えられた場合、第１モードを維持しセキュリティ動作を継続させる。つまり、住宅Ｈ内へ立ち入らせない状態を継続させる。このように、住宅Ｈの住人にとっては立ち入りが容易であるのに対し、非許容者（侵入者）については、生体情報の照合が条件とされていることから偶然にセキュリティが解除されることはなく、立ち入りが事実上不可能である。この場合、制御信号出力部１４が、インターホン装置３の室外機３１を介して、例えば「認証が取れませんでしたので立ち入ることはできません」などと言った音声メッセージを発声させる制御を行うようにすることが望ましい。
【００３６】
セキュリティ制御部２３は、ＲＯＭ等に格納されているプログラムによって動作し、第１モードのときにセキュリティ動作を行う。具体的には、セキュリティ制御部２３は、監視用センサ２１のセンシング動作を制御して監視データを所定のサンプリング周期毎に取得し、異常発生を監視する。そして、セキュリティ制御部２３は、監視用センサ２１から入力される信号に基づき異常が検知された場合、通信部２４を介して異常報知信号を発信させると共に、警報装置２６を作動させ所定の警報動作を行わせる。ここで、警報装置２６は、例えば警告音を発声するスピーカや、警報光を発する警報ランプ等である。
【００３７】
通信部２４は、インターネットＩＮのような外部の電気通信回線に接続されており、セキュリティ制御部２３が異常を検知したとき、外部の端末装置４に警報電文の出力等を行う。端末装置４は、例えば予め設定された外部の警備会社等に属する警備システム端末機や、住人が保有している携帯電話、パーソナルコンピュータ等の移動端末機である。
【００３８】
以上説明した本実施形態に係るホームセキュリティシステムＳ１の動作を説明する。図３は、生体認証装置１とホームセキュリティコントローラ２との連携動作を示すフローチャートである。
【００３９】
ユーザにより操作部２５からセキュリティ開始の操作指示が与えられると（ステップＳ１１）、モード設定部２２はセキュリティ動作を行う第１モードにホームセキュリティコントローラ２を設定し（ステップＳ１２）、セキュリティ動作を開始させる。以後、監視用センサ２１を介して異常が検知された場合、セキュリティ制御部２３は所定のセキュリティ動作を行うのであるが、そのフローについては省略する。
【００４０】
第１モードの状態で、生体認証装置１の認証処理部１３は、生体情報入力部１１からの生体情報の入力を待つ（ステップＳ１３）。インターホン装置３を通してアクセス者の生体情報が入力されると（ステップＳ１３でＹＥＳ）、認証処理部１３にて認証処理が行われる（ステップＳ１４）。この認証処理は、上述した通り、予め記憶部１２に格納されている許容者の生体情報と、インターホン装置３から取得された生体情報との一致性を判定する処理である。この判定結果に応じて、アクセス者が許容者であるか否かが決定される（ステップＳ１５）。
【００４１】
判定の結果、「一致」判定がなされた場合（ステップＳ１５でＹＥＳ）、アクセス者が許容者であると決定する。この場合、制御信号出力部１４は、モード設定部２２にセキュリティ解除信号を出力する（ステップＳ１６）。これを受けてモード設定部２２は、セキュリティモードの設定を第１モードから第２モードへ変更し（ステップＳ１７）、セキュリティ制御部２３による監視動作を停止させてセキュリティを解除する（ステップＳ１８）。
【００４２】
これに対し、判定の結果、「不一致」判定がなされた場合（ステップＳ１５でＮＯ）、アクセス者が許容者であると決定する。この場合、制御信号出力部１４は、モード設定部２２にセキュリティ維持信号を出力する（ステップＳ１９）。なお、このセキュリティ維持信号の出力は省いても良い。そして、制御信号出力部１４は、例えばインターホン装置３の室外機３１を介して立ち入り拒否の報知を行わせる（ステップＳ２０）。その後、ステップＳ１２に戻って処理を繰り返す。
【００４３】
一方、セキュリティ解除が行われた場合、セキュリティ動作を再開するか否かが確認される（ステップＳ２１）。再開する場合（ステップＳ２１でＹＥＳ）は、ステップＳ１２に戻って処理を繰り返す。再開しない場合（ステップＳ２１でＮＯ）は、システムを停止（終了）させるか否かが確認され（ステップＳ２２）、処理を終えるか（ステップＳ２２でＹＥＳ）、ウエイティングか（ステップＳ２２でＮＯ）が選択される。
【００４４】
以上のようなホームセキュリティシステムＳ１によれば、ホームセキュリティコントローラ２及びインターホン装置３と生体認証装置１とを連携させることで、セキュリティ性を維持しながらも、許容者にとってはセキュリティ状態の解除を容易化することができる。また、インターホン装置３をスタンドアロンでの使用に止まらず、生体認証装置１と連携させて有効に活用することができる。
【００４５】
［第２実施形態］
図４は、第２実施形態に係るホームセキュリティシステムＳ２の概略構成を示す構成図である。このホームセキュリティシステムＳ２は、住宅Ｈに装備され、インターホン装置の室外機の機能を備える生体認証装置１０と、ホームセキュリティコントローラ２と、インターホン室内機３２０（インターホン装置３）とを含んで構成されている。
【００４６】
この第２実施形態では、生体認証装置１０が住宅Ｈ（セキュリティエリア内）の玄関先（立ち入りゲート）に設置され、来訪者の主に顔の画像情報を取得する撮像機能、並びに訪者と在宅者との間で音声による交信を行わせるための音声入出力を備える。このように生体認証装置１０がインターホン装置の室外機の機能を兼ねていることから、インターホン装置としては室内機３２０のみが住宅Ｈに設置されている。この室内機３２０と生体認証装置１０とは、インターホン線３０３で接続されている。ホームセキュリティコントローラ２及び監視用センサ２１は第１実施形態と同様であり、このホームセキュリティコントローラ２と生体認証装置１０とは、ＬＡＮケーブル１０２で接続されている。
【００４７】
第２実施形態に係るホームセキュリティシステムＳ２は、住宅Ｈの住人にとって希望しない来訪者に、インターホン装置を介したアクセスをも拒否可能な機能を付加したシステムである。すなわち、玄関先或いは集合住宅のエントランスにおいて生体認証装置１０にて生体認証を行い、アクセス非許容者と判定されると、インターホン装置３での交信を拒否できるようにしたシステムである。なお、アクセス許容者と判定された場合は、インターホン装置３での交信が許可され、立ち入り許容者ならセキュリティ解除も行われる。
【００４８】
図５は、ホームセキュリティシステムＳ２の機能ブロック図である。生体認証装置１０は、機能的に、生体情報入力部１１１（入力手段）、記憶部１２（記憶手段）、認証処理部１３（判定手段）、動作制御部１４１（出力手段／制御手段）及び交信ゲート１６を備える。また、ホームセキュリティコントローラ２（制御手段）は、モード設定部２２、セキュリティ制御部２３及び通信部２４を備える。なお、図２と同じ符号が付されている部分は同一の機能を果たす部分であるため、ここでは説明を省略乃至は簡素化する。
【００４９】
生体情報入力部１１１は、生体認証に必要な生体情報を取得して該生体情報に関する信号を認証処理部１３へ入力する機能部である。ここでは、インターホン用の画像取得手段を兼ね生体認証のために来訪者の顔画像データを取得する撮像装置１１２と、インターホン用の音声取得手段を兼ね生体認証のために来訪者の音声データを取得する音声入出力部１１３とが備えられている例を示している。これに加えて、他の生体情報取得手段を含んでいても良く、例えば指紋情報を取得するための指紋リーダ等を備える生体情報入力部１１１としても良い。
【００５０】
記憶部１２には、生体情報入力部１１１で取得される生体情報に応じた、住宅Ｈ内への立ち入りが許容された許容者の生体情報データが格納される。認証処理部１３は、生体情報入力部１１１から入力される生体情報と記憶部１２に格納された生体情報とを照合することで、入力に係るデータが許容者のものであるか否かを判定する。
【００５１】
動作制御部１４１は、主に２つの機能を有する。その第１機能は、インターホン交信の遮断機能であり、第２機能は、セキュリティ解除である。前記第１機能のために動作制御部１４１は、認証処理部１３の個人認証結果が「不一致」であった場合（第１モード）、交信ゲート１６をＯＦＦにする。交信ゲート１６は、生体情報入力部１１１（音声入出力部１１３）と室内機３２０との通信回線に介在されるゲート素子であり、ＯＦＦ状態とされると、両者間の交信が不可となるものである。一方、認証処理部１３の個人認証結果が「一致」であった場合（第２モード）、動作制御部１４１は交信ゲート１６をＯＮとして、音声入出力部１１３と室内機３２０との間の交信が可能な状態にする。
【００５２】
また、前記第２機能のために動作制御部１４１は、認証処理部１３による個人認証結果に応じて、ホームセキュリティコントローラ２の動作モードを変更させる制御信号を発生する。具体的には、認証処理部１３が「一致」判定をした場合、動作制御部１４１はホームセキュリティコントローラ２にセキュリティ解除信号を出力する。これに対し、認証処理部１３が「不一致」判定をした場合、セキュリティ維持信号を出力する。この機能は、第１実施形態の制御信号出力部１４と同じ機能である。これらの制御信号を受けてホームセキュリティコントローラ２は、第１実施形態と同様に機能する。
【００５３】
以上説明した第２実施形態に係るホームセキュリティシステムＳ２の動作を説明する。図６は、第２実施形態における生体認証装置１とホームセキュリティコントローラ２との連携動作を示すフローチャートである。
【００５４】
ユーザにより操作部２５からセキュリティ開始の操作指示が与えられると（ステップＳ３１）、モード設定部２２はセキュリティ動作を行う第１モードにホームセキュリティコントローラ２を設定し、セキュリティ動作を開始させる。以後、監視用センサ２１を介して異常が検知された場合、セキュリティ制御部２３は所定のセキュリティ動作を行う。同時に動作制御部１４１は、交信ゲート１６をＯＦＦ（閉）にして、インターホン交信が遮断された状態とする（ステップＳ３２）。
【００５５】
第１モードの状態で、生体認証装置１の認証処理部１３は、生体情報入力部１１１からの生体情報の入力を待つ（ステップＳ３３）。生体情報入力部１１１を通してアクセス者の生体情報が入力されると（ステップＳ３３でＹＥＳ）、認証処理部１３にて認証処理が行われる（ステップＳ３４）。この認証処理は、予め記憶部１２に格納されている許容者の生体情報と、生体情報入力部１１１から取得された生体情報との一致性を判定する処理である。この判定結果に応じて、アクセス者が許容者であるか否かが決定される（ステップＳ３５）。
【００５６】
判定の結果、「一致」判定がなされた場合（ステップＳ３５でＹＥＳ）、アクセス者が許容者であると決定する。この場合、動作制御部１４１は交信ゲート１６をＯＮ（開）として、インターホン交信が可能な状態にする（ステップＳ３６）。
【００５７】
これに対し、判定の結果、「不一致」判定がなされた場合（ステップＳ３５でＮＯ）、アクセス者が非許容者であると決定する。この場合、動作制御部１４１は交信ゲート１６をＯＦＦ（閉）の状態として、交信が不能な状態を維持すると共に、モード設定部２２にセキュリティ維持信号を出力する（ステップＳ３７）。なお、このセキュリティ維持信号の出力は省いても良い。そして、動作制御部１４１は、例えば生体情報入力部１１１の音声入出力部１１３を介して立ち入り拒否の報知を行わせる（ステップＳ３８）。その後、ステップＳ３２に戻って処理を繰り返す。
【００５８】
「一致」判定がなされ、交信ゲート１６が「開」とされた場合において（ステップＳ３９）、次にセキュリティ解除を行うか否かが判定される。これは、許容者と判定されたアクセス者が、単にインターホン交信までが許容された来訪者であるのか、或いは当然に住宅Ｈへの立ち入りが許容された住人等であるのかを区別するステップである。この区別は、記憶部１２に格納されている生体情報によって行われる。
【００５９】
アクセス者が住人等である場合（ステップＳ３９でＹＥＳ）、動作制御部１４１は、モード設定部２２にセキュリティ解除信号を出力する。これを受けてモード設定部２２は、セキュリティモードの設定を第１モードから第２モードへ変更し（ステップＳ４０）、セキュリティ制御部２３による監視動作を停止させてセキュリティを解除する（ステップＳ４１）。なお、アクセス者がインターホン交信を許容された来訪者の場合であって、住宅Ｈへの立ち入りを許容する場合は、マニュアル操作にて第２モードへ変更される。
【００６０】
これに対し、セキュリティ解除を行わない場合（ステップＳ３９でＹＥＳ）、インターホン交信が行われ（ステップＳ４２）、その終了を待って、ステップＳ３２に戻って処理を繰り返す。
【００６１】
一方、セキュリティ解除が行われた場合、セキュリティ動作を再開するか否かが確認される（ステップＳ４３）。再開する場合（ステップＳ４３でＹＥＳ）は、ステップＳ３２に戻って処理を繰り返す。再開しない場合（ステップＳ４３でＮＯ）は、システムを停止（終了）させるか否かが確認され（ステップＳ４４）、処理を終えるか（ステップＳ４４でＹＥＳ）、ウエイティングか（ステップＳ４４でＮＯ）が選択される。
【００６２】
以上、本発明の２つの具体的実施形態につき説明したが、これらは本発明の一例であり、発明の趣旨を逸脱しない範囲において上記実施形態とは異なる態様で実施することができる。例えば、上記実施形態では、住宅Ｈに本発明が適用された事例を説明したが、マンション、オフィス、研究施設、工場、商業施設等にも勿論適用できる。また、生体認証やホームセキュリティの手法については、上記で例示したものの他、各種公知の手法を適用することができる。
【図面の簡単な説明】
【００６３】
【図１】本発明の第１実施形態に係るホームセキュリティシステムＳ１の概略構成を示す構成図である。
【図２】ホームセキュリティシステムＳ１の機能ブロック図である。
【図３】第１実施形態における生体認証装置とホームセキュリティコントローラとの連携動作を示すフローチャートである。
【図４】本発明の第２実施形態に係るホームセキュリティシステムＳ２の概略構成を示す構成図である。
【図５】ホームセキュリティシステムＳ２の機能ブロック図である。
【図６】第２実施形態における生体認証装置とホームセキュリティコントローラとの連携動作を示すフローチャートである。
【符号の説明】
【００６４】
Ｈ  住宅（セキュリティエリア内）
Ｓ１、Ｓ２  ホームセキュリティシステム
１、１０  生体認証装置
１１、１１１  生体情報入力部（入力手段）
１２  記憶部（記憶手段）
１３  認証処理部（判定手段）
１４  制御信号出力部（出力手段）
１４１  動作制御部（出力手段／制御手段）
２  ホームセキュリティコントローラ（制御手段）
２１  監視用センサ
３  インターホン装置
３１  室外機
３２  室内機
【図１】
2008293437.tif 000003
【図２】
2008293437.tif 000004
【図３】
2008293437.tif 000005
【図４】
2008293437.tif 000006
【図５】
2008293437.tif 000007
【図６】
2008293437.tif 000008